(57)【要約】【課題】従来に比して更に秀れた吸着作用を発揮して良好な浄化，消臭効果等の様々な効果を発揮することができるゼオライトを用いた基盤構造に関する技術を提供するものである。【解決手段】所定部位に炭化物を含有する炭化物基盤層２が形成され、この炭化物基盤層２上に少なくともゼオライト，粘性を有する水溶性高分子材及び水から成るゼオライト基盤層１が形成されているゼオライトを用いた基盤構造。【選択図】        図１
2005076187.tif 000002
【特許請求の範囲】
【請求項１】
所定部位に少なくともゼオライト，粘性を有する水溶性高分子材および水から成るゼオライト基盤層が形成されていることを特徴とするゼオライトを用いた基盤構造。
【請求項２】
請求項１記載のゼオライトを用いた基盤構造において、前記所定部位は、汚泥等の臭気を発生する臭気発生物の上若しくは近傍であることを特徴とするゼオライトを用いた基盤構造。
【請求項３】
請求項１記載のゼオライトを用いた基盤構造において、所定部位は、炭化物を含有する炭化物基盤層の上若しくは近傍であることを特徴とするゼオライトを用いた基盤構造。
【請求項４】
請求項１記載のゼオライトを用いた基盤構造において、所定部位は、汚泥等の臭気を発生する臭気発生物の上に炭化物を含有する炭化物基盤層が設けられた部位の上若しくは近傍であることを特徴とするゼオライトを用いた基盤構造。
【請求項５】
請求項３，４いずれか１項に記載のゼオライトを用いた基盤構造において、炭化物基盤層は、炭化物，セメント及び水とから成る炭化物パネル体で形成されていることを特徴とするゼオライトを用いた基盤構造。
【請求項６】
請求項１〜５いずれか１項に記載のゼオライトを用いた基盤構造において、ゼオライトとして、粒状のゼオライトが採用されていることを特徴とするゼオライトを用いた基盤構造。
【請求項７】
請求項１〜６いずれか１項に記載のゼオライトを用いた基盤構造において、ゼオライト基盤層にはファイバー材が加えられていることを特徴とするゼオライトを用いた基盤構造。
【請求項８】
請求項１〜７いずれか１項に記載のゼオライトを用いた基盤構造において、ゼオライト基盤層に植物の種子が加えられていることを特徴とするゼオライトを用いた基盤構造。
【請求項９】
所定部位に少なくともゼオライト，粘性を有する水溶性高分子材及び水から成るゼオライト混合物を配設してゼオライト基盤層を形成することを特徴とするゼオライトを用いた基盤構造の施工方法。
【請求項１０】
請求項９記載のゼオライトを用いた基盤構造の施工方法において、所定部位を、汚泥等の臭気を発生する臭気発生物の上若しくは近傍とすることを特徴とするゼオライトを用いた基盤構造の施工方法。
【請求項１１】
請求項９記載のゼオライトを用いた基盤構造の施工方法において、所定部位を、炭化物を含有する炭化物基盤層の上若しくは近傍とすることを特徴とするゼオライトを用いた基盤構造の施工方法。
【請求項１２】
請求項９記載のゼオライトを用いた基盤構造の施工方法において、所定部位を、汚泥等の臭気を発生する臭気発生物の上に炭化物を含有する炭化物基盤層が設けられた部位の上若しくは近傍とすることを特徴とするゼオライトを用いた基盤構造の施工方法。
【発明の詳細な説明】
【０００１】
【発明の属する技術分野】
本発明は、ゼオライトを用いた基盤構造及びその施工方法に関するものである。
【０００２】
【従来の技術及び発明が解決しようとする課題】
ゼオライトは微細な孔を多数有する多孔質物質であるため秀れた吸着作用を発揮し、これにより、浄化効果や消臭効果等の様々な効果を得ることができる。
【０００３】
ところで、このゼオライトは粒状で使用されることが多い。
【０００４】
しかしながら、この粒状のゼオライトを単に法面等の所定部位に敷設しただけでは、該ゼオライトが風で飛散したり、降雨により流失してしまう。
【０００５】
そのため、ゼオライトにセメントを混合し水を加えて固化したり、ゼオライトを泥と一緒に練り上げたりして、ゼオライトをセメントや泥で固結させて飛散や流失が起きない状態で使用している。
【０００６】
この際、ゼオライトに対するセメント若しくは泥の混合量は多めに設定されている。ゼオライトに対するセメント若しくは泥の混合量が少ないと、セメント若しくは泥にゼオライトを良好に固結することができず、これにより、ゼオライトとセメント若しくは泥との混合物を固化できなくなるためである。
【０００７】
一方、ゼオライトにセメント若しくは泥を多量に加えると、セメント若しくは泥へのゼオライトの固結は良好となる。
【０００８】
しかしながら、ゼオライトの量に比してセメント若しくは泥を多量に加えれば、今度は当然ながら、セメント若しくは泥に対するゼオライトの露出面積が小さくなり、これにより、ゼオライトが本来発揮できる秀れた吸着作用を十分に発揮することができないという問題がある。
【０００９】
従って、使用目的にもよるが、ゼオライトの固結の為にセメント若しくは泥を用いることは必ずしも好ましいとはいえない。
【００１０】
本発明は、上述問題点を解決し、従来に比して更に秀れた吸着作用を発揮して良好な浄化，消臭効果等の様々な効果を発揮することができるゼオライトを用いた基盤構造及びその施工方法に関する技術を提供するものである。
【００１１】
【課題を解決するための手段】
添付図面を参照して本発明の要旨を説明する。
【００１２】
所定部位に少なくともゼオライト，粘性を有する水溶性高分子材および水から成るゼオライト基盤層１が形成されていることを特徴とするゼオライトを用いた基盤構造に係るものである。
【００１３】
また、請求項１記載のゼオライトを用いた基盤構造において、前記所定部位は、汚泥等の臭気を発生する臭気発生物の上若しくは近傍であることを特徴とするゼオライトを用いた基盤構造に係るものである。
【００１４】
また、請求項１記載のゼオライトを用いた基盤構造において、所定部位は、炭化物を含有する炭化物基盤層２の上若しくは近傍であることを特徴とするゼオライトを用いた基盤構造に係るものである。
【００１５】
また、請求項１記載のゼオライトを用いた基盤構造において、所定部位は、汚泥等の臭気を発生する臭気発生物の上に炭化物を含有する炭化物基盤層２が設けられた部位の上若しくは近傍であることを特徴とするゼオライトを用いた基盤構造に係るものである。
【００１６】
また、請求項３，４いずれか１項に記載のゼオライトを用いた基盤構造において、炭化物基盤層２は、炭化物，セメント及び水とから成る炭化物パネル体２Ａで形成されていることを特徴とするゼオライトを用いた基盤構造に係るものである。
【００１７】
また、請求項１〜５いずれか１項に記載のゼオライトを用いた基盤構造において、ゼオライトとして、粒状のゼオライトが採用されていることを特徴とするゼオライトを用いた基盤構造に係るものである。
【００１８】
また、請求項１〜６いずれか１項に記載のゼオライトを用いた基盤構造において、ゼオライト基盤層１にはファイバー材が加えられていることを特徴とするゼオライトを用いた基盤構造に係るものである。
【００１９】
また、請求項１〜７いずれか１項に記載のゼオライトを用いた基盤構造において、ゼオライト基盤層１に植物の種子が加えられていることを特徴とするゼオライトを用いた基盤構造に係るものである。
【００２０】
また、所定部位に少なくともゼオライト，粘性を有する水溶性高分子材及び水から成るゼオライト混合物を配設してゼオライト基盤層１を形成することを特徴とするゼオライトを用いた基盤構造の施工方法に係るものである。
【００２１】
また、請求項９記載のゼオライトを用いた基盤構造の施工方法において、所定部位を、汚泥等の臭気を発生する臭気発生物の上若しくは近傍とすることを特徴とするゼオライトを用いた基盤構造の施工方法に係るものである。
【００２２】
また、請求項９記載のゼオライトを用いた基盤構造の施工方法において、所定部位を、炭化物を含有する炭化物基盤層２の上若しくは近傍とすることを特徴とするゼオライトを用いた基盤構造の施工方法に係るものである。
【００２３】
また、請求項９記載のゼオライトを用いた基盤構造の施工方法において、所定部位を、汚泥等の臭気を発生する臭気発生物の上に炭化物を含有する炭化物基盤層２が設けられた部位の上若しくは近傍とすることを特徴とするゼオライトを用いた基盤構造の施工方法に係るものである。
【００２４】
【発明の作用及び効果】
ゼオライト基盤層１を構成する粘性を有する水溶性高分子材（以下、単に水溶性高分子材と記載した場合も粘性を有するものを指す。）は高い粘性を発揮できるため、該水溶性高分子材の混合量がゼオライトの量に比して少量であっても、ゼオライトは水溶性高分子材に良好に固結（保持）され、よって、少量の水溶性高分子材によってゼオライトの飛散，流失を防止できることになる。
【００２５】
また、水溶性高分子材の混合量をゼオライトの量に比して少量にできることで、水溶性高分子材に対するゼオライトの露出面積は大きくなり、これにより、該ゼオライトの吸着作用は十分に発揮され、これにより、良好な浄化，消臭，保水効果か得られる。
【００２６】
また、ゼオライトは、上述のように、多孔質物質であり秀れた吸着作用を発揮できるため、例えばゼオライト基盤層１の厚さを薄く設定しても（例えば２ｃｍ以上）、良好な浄化，消臭，保水効果が得られる。
【００２７】
従って、本発明は、前述のように、ゼオライト基盤層１のゼオライトの吸着作用を極めて良好に発揮することができ、これにより、浄化，消臭，保水効果といった様々な秀れた効果を発揮することができる。
【００２８】
【発明の実施の形態】
図面は本発明の一実施例を図示したものであり、以下に説明する。
【００２９】
本実施例は、図１に示すように、コンクリートや土壌等の配設部３に炭化物をを含有する炭化物基盤層２が形成され、この炭化物基盤層２上に少なくともゼオライト，粘性を有する水溶性高分子材及び水から成るゼオライト基盤層１が形成されているゼオライトを用いた基盤構造に関するものである。
【００３０】
尚、本実施例のゼオライトを用いた基盤構造は、法面等の傾斜面に形成しても良いし、壁面に形成しても良いし、勿論平坦面に形成しても良い。
【００３１】
本実施例では、炭化物とセメントと水とから成る炭化物パネル体２Ａを所定部位に配設することで前記炭化物基盤層２が形成されている。
【００３２】
炭化物パネル体２Ａは、少なくとも炭化物の量１ｍ３に対してセメントの量が５０ｋｇ乃至２００ｋｇとなるように設定され、セメントにより結合されることでポーラス状に形成された構成としている。
【００３３】
炭化物に対するセメントの量を上記の量に設定したのは、炭化物の秀れた吸着作用を発揮できるようにすると共に、水が通過し得る空隙を多数有するポーラス状に形成できるようにし、且つ、耐荷重性に秀れる炭化物パネル体２Ａを形成できるようにするためである。
【００３４】
炭化物の量１ｍ３に対してセメントの量を５０ｋｇよりも少量とすると、セメントが所謂バインダーの働きを成さなくなり、これにより、パネル体を形成することができなくなり、また、セメントの量を２００ｋｇよりも多くすると、今度はセメントの量が多すぎて炭化物パネル体２Ａをポーラス状にすることができず、また、炭化物がセメントに埋没して該炭化物の露出面積がほとんど無くなり該炭化物の吸着作用が十分に発揮されなくなるためである。
【００３５】
炭化物は、粒状の炭化物が採用されている。
【００３６】
また、炭化物は、木質系廃材等のリサイクル材を採用すると良い。これにより、環境に良い炭化物パネル体２Ａを製造することが可能となる。
【００３７】
セメントは、普通ポルトランドセメント等の一般的に使用されているセメントが採用されている。
【００３８】
尚、本実施例におけるセメントとはセメント粉に水を混合して固化したもの、コンクリートとはセメントに砂利等が骨材として含まれているものである。
【００３９】
炭化物パネル体２Ａには、中和材が混合されている。
【００４０】
この中和材としては、過リン酸石灰が採用されている。尚、中和材として過リン酸石灰以外にも、炭化物パネル体２Ａ内がアルカリ性若しくは酸性となった際に、これを中和し得るものであれば適宜採用しても良く、例えば硫安を採用しても良い。
【００４１】
尚、緑化に使用しない場合、即ち、浄化や消臭を目的とする場合には、上記中和材は混合しなくても良い。
【００４２】
また、炭化物パネル体２Ａには、必要に応じて、増粘剤や高分子吸収材を混合しても良い。
【００４３】
炭化物パネル体２Ａは、コンクリート面や土壌面等の配設部３に単に載置しても良いし、該配設部３に接着，組み込み若しくはボルト・ナットによって固定しても良い。
【００４４】
炭化物基盤層２の上面部に、少なくともゼオライト，粘性を有する水溶性高分子材及び水から形成されるゼオライト混合物を吹き付けることで該炭化物基盤層２上にゼオライト基盤層１が形成される。
【００４５】
このゼオライト混合物は、ハイドロシーダ等の吹き付け手段で容易に吹き付けでき且つ吹き付け後のゼオライト混合物が吹き付け面に対して自重により垂れてこない程度の粘性を有している。
【００４６】
ゼオライトは、粒状のゼオライトが採用されている。
【００４７】
水溶性高分子材は、ゼオライトに固結（付着）することで、ゼオライト混合物に粘性を付与する働きを成している。
【００４８】
本実施例では、水溶性高分子材としてクリコートＣ−４０２等を採用している。尚、ゼオライトを少量で固結することができ、ゼオライト基盤層１としての作用効果を発揮できるものであれば適宜採用しても良い。
【００４９】
ゼオライト基盤層１には、ファイバー材が混合されている。
【００５０】
ファイバー材は、セルロース，リグニン質が採用されている。
【００５１】
ファイバー材を混合したのは、ゼオライト混合物に更に粘性を付与してゼオライトが降雨により流失したり、風により飛散してしまうことを更に確実に防止するためである。
【００５２】
また、このファイバー材は、ゼオライト基盤層１を緩斜面や平坦面に形成する場合には、加えなくても良い。
【００５３】
即ち、緩斜面や平坦面に炭化物基盤層２を形成し、該炭化物基盤層２上にゼオライト基盤層１を形成する場合には、ゼオライトと水溶性高分子材とを、水を加えない乾式で混合し、該乾式で混合したゼオライト及び水溶性高分子材をそのまま炭化物基盤層２上に配設（散布）し、該散布したゼオライト及び水溶性高分子材に散水することで固化させてゼオライト基盤層１を形成することができる。
【００５４】
一方、急斜面に炭化物基盤層２及びゼオライト基盤層１を形成する場合には、ゼオライト，水溶性高分子材，水及びファイバー材を混合して所謂泥状化し、該泥状化したゼオライト混合物をハイドロシーダ等の吹き付け手段により、斜面に形成した炭化物基盤層２上に吹き付けることでゼオライト基盤層１を形成することができる。尚、勿論、緩斜面や平坦面にもファイバー材が混合されたゼオライト混合物を吹き付けてゼオライト基盤層１を形成しても良い。
【００５５】
ゼオライト基盤層１は、植物の種子が混合された構成としても良い。
【００５６】
即ち、ゼオライト混合物に植物の種子を混合し、炭化物基盤層２上に吹き付けることで、種子が混合されたゼオライト基盤層１が形成される。
【００５７】
この種子は、ゼオライト基盤層１の保水性，炭化物基盤層２の保水排水性によって良好に植生せしめられる。
【００５８】
また、ゼオライト基盤層１には、肥料が混合された構成としても良い。
【００５９】
これにより、ゼオライト基盤層１に混合された種子が植生するに際し、十分な栄養分が付与されて良好に植生することができる。
【００６０】
ゼオライト基盤層１は、１ｍ３あたりゼオライト１４ｋｇ乃至７０ｋｇ，水溶性高分子材０．０２ｋｇ乃至０．１ｋｇ，ファイバー材０．２ｋｇ乃至１．０ｋｇ，水分１７リットル乃至８５リットルからなるゼオライト混合物を炭化物基盤層２上に吹き付けることで形成されている。
【００６１】
ゼオライト基盤層１を形成するゼオライト混合物を、上記の混合割合で形成したのは、ゼオライトの吸着作用を十分に発揮でき且つ吹き付け作業を容易とし且つ吹き付け後のゼオライト混合物が垂れてこないようにでき、これにより、秀れた吸着作用を発揮するゼオライト基盤層１を簡易な施工により炭化物基盤層２上に形成できるようにするためである。
【００６２】
また、水溶性高分子材は、上述のように、１ｍ３あたりたった０．０２ｋｇ乃至０．１ｋｇを加えるだけでゼオライトを固結でき、ゼオライト基盤層１としての作用効果を良好に発揮することができる。
【００６３】
次に、炭化物基盤層２及びゼオライト基盤層１の施工方法について説明する。
【００６４】
先ず、傾斜したコンクリート面や土壌面等の配設部３に炭化物パネル体２Ａを設置して固定し、炭化物基盤層２を形成する。
【００６５】
続いて、ハイドロシーダ（スラリーポンプを有した機械）に所定量の水を投入する。
【００６６】
続いて、ハイドロシーダにゼオライト，水溶性高分子材及びファイバー材を所定量投入する。
【００６７】
続いて、ハイドロシーダ内に投入した上記ゼオライト等を撹拌・混合し、泥状化したゼオライト混合物を作成する。
【００６８】
続いて、このゼオライト混合物を炭化物基盤層２上に略一定厚となるように吹き付けてゼオライト基盤層１を形成する。
【００６９】
尚、上述したように、緩斜面や平坦面にゼオライト基盤層１を形成する場合には、該緩斜面等に設置固定した炭化物基盤層２上に、水を混合しない状態のゼオライト及び水溶性高分子材の混合物を散布し、散水することでゼオライト及び水溶性高分子材の混合物を固化してゼオライト基盤層１を形成する。
【００７０】
本実施例によれば、炭化物基盤層２中の炭化物が発揮する吸着作用と、ゼオライト基盤層１中のゼオライトが発揮する吸着作用との相乗効果によって極めて秀れた吸着作用を発揮できることになる。
【００７１】
即ち、水溶性高分子材は高い粘性を発揮できるため、該水溶性高分子材の混合量を少量としてもゼオライトを該水溶性高分子材に良好に保持することができ、これにより、ゼオライト同士は該少量の水溶性高分子材によって連結できることになるため、実質的にゼオライトの露出面積は大きくなり、よって、秀れた吸着作用を発揮できることになる。
【００７２】
また、炭化物基盤層２を構成する炭化物は多孔質物質であるため、秀れた吸着作用を発揮できることになる。
【００７３】
また、炭化物基盤層２となる炭化物パネル体２Ａはポーラス状に形成されているため、通水可能な空隙を多数有し、これにより、秀れた排水作用を発揮できることになる。
【００７４】
また、炭化物は軽量であり、その上、炭化物パネル体２Ａはポーラス状に形成されているため、該炭化物パネル体２Ａは非常に軽量となる。
【００７５】
本実施例は上述のように構成したから、極めて秀れた吸着作用を発揮でき、該吸着作用によって良好な浄化，消臭，緑化効果を発揮することができる。
【００７６】
また、ゼオライト基盤層１を形成するゼオライト混合物は、粘性を有する水溶性高分子材によって適度な粘性が付与されているため、ハイドロシーダ等の吹き付け手段によって簡易に施工でき、しかも、傾斜した炭化物基盤層２に吹き付けても自重で垂れてきてしまうことを防止することができる。
【００７７】
また、炭化物基盤層２は、炭化物パネル体２Ａを単にコンクリート面や土壌面等の配設部３上に設置固定するだけで簡単に形成することができる。
【００７８】
また、ゼオライト基盤層１は、土壌の客土や厚層基材吹き付け工を行う場合と異なり、吸着効果があるゼオライトを用いるため、その施工厚は薄くすることが可能となる。
【００７９】
また、ゼオライト基盤層１は、ゼオライト及び水溶性高分子材及び水（及びファイバー材及び植物の種子）のみで形成されるため、施工単価を安く抑えることが可能となる。
【００８０】
また、粘性を有する水溶性高分子材を使用しているため、前述のように、降雨や風によってゼオライトが流失，飛散することを極めて良好に抑制することができる。
【００８１】
また、ゼオライトは粘性を有する水溶性高分子材によって固まっているだけなので、容易に撤去することが可能であり、また、そのまま土壌を被覆して使用しても良い。
【００８２】
また、主に使用しているゼオライトは天然資材であるため、本実施例は環境に優しい工法であるといえる。
【００８３】
次に、本実施例の基盤構造により発揮される具体的な種々の効果について述べる。
【００８４】
炭化物基盤層２及びゼオライト基盤層１を、水質を低下せしめる汚染物質を含有した水中若しくは該水に接触し得る状態で（例えば護岸に）形成することで、ゼオライト基盤層１のゼオライトが該汚染物質を吸着して保持でき、また、該汚染物質がゼオライト基盤層１を通過して炭化物基盤層２に達した際には、炭化物パネル体２Ａ内の炭化物が該汚染物質を吸着して保持でき、これにより、水中から該汚染物質を除去して水質を浄化することができる。
【００８５】
また、この際、炭化物基盤層２を形成する炭化物パネル体２Ａは、ポーラス状に形成されているため、該炭化物基盤層２まで浸透した水は炭化物パネル体２Ａ内の通水可能な多数の孔を通過して良好に排水される。
【００８６】
また、炭化物基盤層２及びゼオライト基盤層１を、土壌の上若しくはその近傍に形成すれば、該土壌中に人体に影響を与えるような有害物質が存在した場合には、該有害物質は炭化物基盤層２中の炭化物に例えば水分と共に吸着保持され、また、該有害物質が炭化物基盤層２を通過してゼオライト基盤層１に達した場合には該ゼオライト基盤層１中のゼオライトが該有害物質を吸着保持でき、これにより、該土壌から極めて良好に有害物質を除去することができる。
【００８７】
また、例えば湖沼から浚渫した汚泥等の臭気を発生する土壌の上若しくはその近傍に炭化物基盤層２及びゼオライト基盤層１を形成すれば、該浚渫汚泥から発生する臭気を該炭化物基盤層２の炭化物及びゼオライト基盤層１のゼオライトの吸着作用によって良好に吸着して保持でき、これにより、該浚渫汚泥から発生する臭気を消臭することができる。
【００８８】
また、この際、ゼオライト基盤層１上に更に覆土すると、前記浚渫汚泥に更に蓋をするかたちとなって、一層秀れた消臭効果を発揮することができる。また、ゼオライト基盤層１上に配設した土壌中に植物や種子を混入させて植生することもできる。尚、ゼオライト基盤層１上に覆土する場合には、ゼオライト基盤層１上から土壌が滑落することを防止するために、ラス金網等の係止材を該ゼオライト基盤層１上に敷設すると良い。
【００８９】
また、ゼオライト基盤層１中に植物の種子を混合することで、ゼオライト基盤層１を保水層，炭化物基盤層２を排水保水層として該種子を良好に植生することができる。
【００９０】
即ち、炭化物基盤層２及びゼオライト基盤層１は秀れた吸着作用により水分や肥料を良好に吸着保持するため保水性，保肥性に秀れ、また、炭化物基盤層２を形成する炭化物パネル体２Ａはポーラス状であるため、排水性に秀れる。
【００９１】
故に、ゼオライト基盤層１で植生する植物は、ゼオライト中に吸着保持された水分を吸収して生育することができ、ゼオライト中の水分が少なくなれば炭化物基盤層２の炭化物が保持する水分を吸収して生育することができるため、降雨のない時期がある程度続いても、該植物は水分を得て良好に植生することができる。
【００９２】
ゼオライト基盤層１で植生する植物は、ゼオライト基盤層２内のゼオライトの吸着作用及び炭化物基盤層２内の炭化物の吸着作用により吸着された肥料を吸収し生育できるため、例えば頻繁に肥料を与えずとも該植物を良好に植生することができる。
【００９３】
一方、降雨により水分が過剰に供給された場合には、炭化物基盤層２を形成する炭化物パネル体２Ａの排水作用によって良好に排水されるため、よって、植物が根腐れを極めて起こしにくい。
【００９４】
また、ゼオライト基盤層１のゼオライトに吸着保持された栄養分（土壌中や肥料から供給されるアンモニウムイオン等の栄養分）を水と共に植物に吸着させることでゼオライトの効果を持続させることができる。
【００９５】
従って、本実施例は、施工が簡単でありながら、極めて秀れた吸着作用によって浄化，消臭，保水効果といった様々な秀れた効果を発揮することができる画期的なゼオライトを用いた基盤構造及びその施工方法となる。
【００９６】
図２は、本実施例の別例であり、例えば浚渫した汚泥に炭化物パネル体２Ａを敷設せずに直接ゼオライト混合物を吹き付けることで汚泥上にゼオライト基盤層１を形成し、ゼオライト基盤層１のゼオライトの吸着作用によって汚泥から発生する臭気を消臭することができる。
【００９７】
この際、ゼオライト混合物は、汚泥上に直接敷設されることで、該汚泥をゼオライト混合物で所謂閉塞するようにでき、これにより、秀れた消臭効果を発揮することができる。
【図面の簡単な説明】
【図１】本実施例の使用状態を示す説明図である。
【図２】本実施例の炭化物パネル体を用いない使用状態を示す説明図である。
【符号の説明】
１  ゼオライト基盤層
２  炭化物基盤層
２Ａ  炭化物パネル体
【図１】
2005076187.tif 000003
【図２】
2005076187.tif 000004